(57)【特許請求の範囲】
【請求項１】
コンクリート躯体に着座するベースプレートと、ベースプレートに載置されたアルミ押出形材からなるブラケット本体と、ブラケット本体に装着したスペーサと、を備え、
ブラケット本体の下面とベースプレートの上面は、ブラケット本体の内外方向の傾斜角度を調整する湾曲した摺動面で当接し、
ブラケット本体は、ベース部とベース部から立ち上がる支柱取付部とを有し、
ベース部は、長手方向の複数箇所に表裏に貫通する円形孔を有し、
ベースプレートは、長手方向の複数箇所に、ブラケット本体とベースプレートとの間の摺動で円形孔と略重なる領域を表裏に貫通した下貫通孔を有し、
スペーサは、ブラケット本体の円形孔に回転自在に嵌め込むものであって、コンクリート躯体から起立し下貫通孔及び円形孔に挿通したアンカーボルトを挿通し、円形孔の中心から周縁までを横断する長孔と、ブラケット本体の表面に被るフランジ部を有し、
アンカーボルトに螺合したナットでスペーサを押圧することでコンクリート躯体に締着することを特徴とする支柱保持用ブラケット。
【発明の詳細な説明】
【技術分野】
【０００１】
本発明は、手摺り等の支柱を保持する為のブラケットに関し、特に躯体コンクリートから起立するアンカーボルトに対して位置決め固定が容易となる構造に関する。
【背景技術】
【０００２】
従来、手摺り等の支柱保持用ブラケットは、躯体コンクリートに穴をあけてアンカーボルトを立設し、アンカーボルトをブラケットの貫通孔に挿通した後に座金を装着し、最後にナットで締めることにより躯体コンクリートに固定していたが、躯体コンクリートの穴あけ位置にちょうど鉄筋が埋設されている場合には、アンカーボルトを立設する為の穴をあける位置をずらさねばならず、アンカーボルトの起立位置とブラケットの貫通孔との位置関係にズレが生じると言う問題があった。
【０００３】
そこで、ブラケットの貫通孔をアンカーボルトの径に比べて広く設定することでアンカーボルトの起立位置との位置ズレに対応し（例えば下記特許文献１参照）、座金の面積を貫通孔の大きさに合わせて前後左右に広くする措置を採っていた。
【先行技術文献】
【特許文献】
【０００４】
【特許文献１】特開平８−２４６６３３号公報
【発明の概要】
【発明が解決しようとする課題】
【０００５】
しかしながら、アンカーボルトの位置によっては、座金の広さとも相俟ってブラケットの表面から座金の一部がはみ出す場合があり、仮に座金の挿通孔を長孔にしたとしても貫通孔の周縁に係る座金の面積が方向に応じて不均一となる可能性が更に生じ、その結果、躯体コンクリートに対するブラケットの固定強度に支障が生じる場合もあった。
【０００６】
しかも、ブラケットの貫通孔の内側においてアンカーボルトの周囲に比較的広い余剰空隙が生じることから、単に面積を広くした座金でブラケットの厚み方向に加圧するだけでは、アンカーボルトに対するブラケットの施工後の位置ズレを確実に防止できないという問題があった。
【０００７】
本発明は、上記実情に鑑みてなされたものであって、躯体コンクリートにおける配筋状態に起因したアンカーボルトの起立位置とブラケットの貫通孔との位置ズレに対応しながらも、座金のサイズに依存することなく躯体コンクリートに対するブラケットの固定強度を確保でき、且つアンカーボルトに対するブラケットの施工後の位置ズレを防止できる支柱保持用ブラケットの提供を目的とする。
【課題を解決するための手段】
【０００８】
上記課題を解決する本発明による支柱保持用ブラケットは、支柱取付部を有するブラケット本体とスペーサとを備えたものである。
ブラケット本体は、表裏に貫通する円形の貫通孔を有し、スペーサは、ブラケット本体の貫通孔に回転自在に嵌め込むものであって、コンクリート躯体から起立したアンカーボルトを挿通し、貫通孔の半径に沿う長孔と、ブラケット本体の表面に被るフランジ部を有し、アンカーボルトに螺合したナットでスペーサを押圧することでコンクリート躯体に締着することを特徴とする。
【０００９】
具体的には、コンクリート躯体に着座するベースプレートと、ベースプレートに載置されたアルミ押出形材からなるブラケット本体と、ブラケット本体に装着したスペーサとを備えたものであって、ベースプレートに対するブラケット本体の内外方向の傾斜角度を調整すべく、ブラケット本体とベースプレートが、互いの当接部（ブラケット本体の下面とベースプレートの上面）に湾曲した摺動面を有する構造が挙げられる。
ブラケット本体は、ベース部とベース部から立ち上がる支柱取付部とを有し、例えば、断面略Ｕ字状のアルミ押出形材からなるものが挙げられる。
【００１０】
本実施の形態のベース部は、長手方向の複数箇所に表裏に貫通する円形孔を有し、ベースプレートは、長手方向の複数箇所に、ブラケット本体とベースプレートとの間の摺動で円形孔と略重なる領域を表裏に貫通した下貫通孔を有する構造を持つ。
また、スペーサは、ブラケット本体の円形孔に回転自在に嵌め込むものであって、本実施の形態のスペーサは、コンクリート躯体から起立し下貫通孔及び円形孔に挿通したアンカーボルトを挿通し、円形孔の中心から周縁までを横断する長孔を備え、アンカーボルトに螺合したナットでスペーサを押圧することでコンクリート躯体に締着するものである。
【発明の効果】
【００１１】
本発明による支柱保持用ブラケットにおいて、ブラケット本体は、表裏に貫通する円形孔を有し、円形孔にはめ込むスペーサは、アンカーボルトを挿通する長孔を有しているので、円形孔と長孔とが重なる範囲においてアンカーボルトの移設を許容でき、躯体コンクリートの配筋状態に起因したアンカーボルトの移設にあっても、ブラケット本体を新たに加工することなく用いることができる。
【００１２】
また、スペーサが有する長孔は、挿通したアンカーボルトの動きを円形孔の略半径方向のみに規制し、スペーサは、ブラケット本体の円形孔に回転自在に嵌め込まれているので、円形孔に嵌めこんだスペーサを適宜回転させて長孔の向きを調整するという簡単な作業を以って、アンカーボルトの位置関係に長孔の位置関係を手早く合わせることができ、同時に、長孔を通ったアンカーボルトの前後左右へのズレを、アンカーボルトに接する長孔の縁を以って防止することができる。
【００１３】
而して、本発明による支柱保持用ブラケットは、アンカーボルトの起立位置のズレや移設について単に実用的な許容範囲を備えるのみならず、位置決め工程の後にアンカーボルトに螺号したナットを加締めるのみで、躯体コンクリートに対するブラケットの浮きや位置ズレを防止でき、且つ円形孔周縁に対する均一な加圧を以って、安定した固定強度を維持することができる。
【００１４】
更に、ブラケット本体にアルミ押出形材を用いれば、所望形状の部材を正確な寸法で安価に大量生産することが比較的容易であることに加え、アルミ合金の耐食性により長期にわたって安定した支持強度を維持することができる。また、略Ｕ字状に押出成形することにより、各面の曲げ強度を相互に負担することによる高い支持強度を達成できる。
【図面の簡単な説明】
【００１５】
【図１（Ａ）（Ｂ）（Ｃ）（Ｄ）】本発明による支柱保持用ブラケットの例を示すものであって、（Ａ）は平面図、（Ｂ）は縦断面図、（Ｃ）は横断面図、（Ｄ）はブラケット本体の平面図である。
【図２（Ａ）（Ｂ）（Ｃ）（Ｄ）（Ｅ）】本発明による支柱保持用ブラケットにおけるスペーサの例を示すものであって、（Ａ）は第一の平面図、（Ｂ）は（Ａ）の斜視図、（Ｃ）は第二の平面図、（Ｄ）は（Ｃ）の斜視図、（Ｅ）は縦断図である。
【図３】本発明による支柱保持用ブラケットの実施態様例を示す側面図である。
【図４】本発明による支柱保持用ブラケットの取付方法の一例を示す工程図である。
【図５】本発明による支柱保持用ブラケットの実施態様例を示す分解斜視図である。
【図６】本発明による支柱保持用ブラケットの実施態様例を示す要部側面図である。
【図７】本発明による支柱保持用ブラケットの実施態様例を示す要部側面図である。
【発明を実施するための形態】
【００１６】
以下、本発明による支柱保持用ブラケットの実施の形態を図面に基づき説明する。
本発明による支柱保持用ブラケットは、ブラケット本体１とスペーサ２とで構成される（図１参照）。
本実施の形態におけるブラケット本体１は、既設又は新設のコンクリート躯体３に定着し、支柱４の土台として機能を奏するものであって、コンクリート躯体３から起立したアンカーボルト５に締結するベース部１ａと、支柱４を支持する支柱取付部１ｂとで構成される。
【００１７】
ベース部１ａは、表裏に貫通する円形の貫通孔１ｃを単数又は複数備える。
貫通孔１ｃは、コンクリート躯体３から起立したアンカーボルト５を挿通するものであって、その大きさは、その開口範囲においてアンカーボルト５の配置位置を、少なくとも鉄筋６の太さ分、好ましくは鉄筋６の数本分の太さ分移動できる程度のものである（図１参照）。即ち、貫通孔１ｃは、位置決め状態でコンクリート躯体３に設置されるブラケット本体１に対し、アンカーボルト５が位置ズレしていても、これを挿通可能とする大きさに形成されている。
尚、本実施の形態にあっては、ブラケット本体１の長手方向に沿って、三つの相等しい貫通孔１ｃを等間隔で備える。
【００１８】
本実施の形態における支柱取付部１ｂは、ベース部１ａの両側縁から直立する一対の起立片１ｂａ，１ｂｂで支柱４を挟持するものであって、屋内側の起立片１ｂａに、挟持した支柱４を固定する為のボルト７を挿通する支持孔８を備え、屋外側の起立片１ｂｂに、控え柱９を支持する連結材１０を通す切欠部１ｄを備える（図３参照）。
【００１９】
このように構成されたブラケット本体１は、ベース部１ａとベース部１ａから立ち上がる一対の起立片１ｂａ，１ｂｂ（支柱取付部１ｂ）とにより、断面略Ｕ字状のアルミ押出形材で構成されている。この場合、ブラケット本体１は、外側のみならず内側もアルマイト処理されており、十分な耐食性を有している。また、ブラケット本体１は、アルミ押出形材を短く切断したものであり、内側に雨水が侵入しても、侵入した雨水は長手方向の両端から外部に流れ出るため、腐食の原因となる雨水がブラケット本体１の内側に溜まることがない。
【００２０】
本実施の形態は、ベース部１ａと支柱取付部１ｂを、断面略Ｕ字状のアルミ押出形材として一体に形成することができる。
一方、ブラケット本体１の他の形態として、ベース部１ａの室内側の側縁から直立する起立片１ｂａを備え、起立片１ｂａの室外側に密着して立てた支柱４を、支柱４の屋内側の中空内面、又は屋外側の外面に当てた裏板１５と起立片１ｂａとで挟持し、ボルト７で締め付けることによって支柱４を支える構造も採用することができる（図７参照）。その際、強度負担のために、断面略Ｕ字状の構造を持つブラケット本体（図６参照）１と比較して、起立片１ｂａの肉厚を厚くすることを要する。
この様に、ブラケット本体１が、断面略Ｌ字状の押出形材であっても、ブラケット上に雨水等が側方から排水される。
【００２１】
スペーサ２は、ブラケット本体１の貫通孔１ｃに回転自在に嵌め込み貫通孔１ｃの余剰空隙を埋めるものであって、貫通孔１ｃに嵌まり込む天板２ｅ付きの軸部２ａと、軸部２ａの天板２ｅから側方へ突出してブラケット本体１の表面に着座するフランジ部２ｂを一体的に備え、耐食性の高いアルミ又はステンレス等を材料とする（図２参照）。
【００２２】
本実施の形態における軸部２ａは、貫通孔１ｃの深さよりも低い円筒状であって、その天板は、コンクリート躯体３から起立したアンカーボルト５を挿通する長孔２ｃを備える。
長孔２ｃは、軸部２ａの表裏を貫通し、軸部２ａの半径に沿ったものを含む、貫通孔１ｃの中心から周縁までを略横断する長孔２ｃ、即ち、軸部２ａの中心にアンカーボルト５を挿通する空隙を確保し、且つ軸部２ａの中心から遠心方向の少なくとも一方へ向かって延びたものとする。
【００２３】
具体的には、例えば、長孔２ｃの長さが半径分（図２（Ｃ）参照）又は直径分（図２（Ａ）参照）の何れであっても良いし、延び方としても、例えば、弓形或いは円弧状に湾曲しつつ延びる形態や、渦巻状に延びる形態でも良く、更には、二本の半径分の長孔２ｃが軸部２ａの中心で連結したＶ字状あるいは円孔状であっても良い。尚、本実施の形態にあっては、軸部２ａの直径に沿って軸部２ａの周壁２ｄの内側を横切る長孔２ｃとした（図２（Ａ）（Ｃ）参照）。
【００２４】
軸部２ａは、その回転に伴ってスペーサ２の中心を維持しつつ長孔２ｃの位相を変化させる回転軸となる。従って、軸部２ａの形状は、円筒状に限らず、断面が円形又は正多角形の筒状又は柱状など、円形の貫通孔１ｃに嵌まって偏心や振れを伴わずに回転する形状であれば良い。
長孔２ｃの幅は、アンカーボルト５の動きを規制する効果を高める上では、アンカーボルト５の径に略等しくすること、即ち、バカ孔と同等のクリアランスを有することが望ましい。
【００２５】
本実施の形態におけるフランジ部２ｂは、軸部２ａの一端部から側方へ向かって同心円状に迫出したものであって、アンカーボルト５に螺合したナット１１から受けた圧力をブラケット本体１に伝える役割を果たす。即ち、ナット１１を締め込むことでフランジ部２ｂを介してブラケット本体１がコンクリート躯体３に固定される。
フランジ部２ｂの形状にあっては、同心円状に限らず、軸部２ａと中心を同じくする正多角形の筒状又は柱状など、貫通孔１ｃの周縁部を均一に加圧できる形状であれば良い。
【００２６】
本発明による支柱保持用ブラケットは、以上の如く構成され、以下に示す工程を経てコンクリート躯体３に定着する（図４参照）。
先ず、予めコンクリート躯体３にアンカーボルト５を立設する位置に印（すみ出し）をつけ（図４（Ａ）参照）、印が付けられた箇所にドリルで穴３ａを開ける。この際、コンクリート躯体３に埋設した鉄筋６にドリルが当たる場合には、その印の近傍にあって鉄筋６を回避できる位置に穴３ａをあけることとする（図４（Ｂ）参照）。そして、コンクリート躯体３に開けた穴３ａへ離脱しない様にアンカーボルト５を固定し支柱保持用ブラケットを定着する下地を仕上げる（図４（Ｃ）参照）。
【００２７】
次に、コンクリート躯体３から起立したアンカーボルト５にブラケット本体１を装着する。その際、鉄筋６の回避に伴うアンカーボルト５の位置ズレは、貫通孔１ｃが有する余剰の大きさを以って許容され、鉄筋６の回避に関らずブラケット本体１をコンクリート躯体３の正規の位置へ定着することができる（図４（Ｄ）参照）。
ブラケット本体１の定着位置が決まると、その位置をずらさないように貫通孔１ｃへスペーサ２を装着する。その際、上記スペーサ２の構造により、スペーサ２が回転する向きのいずれかにおいて、貫通孔１ｃに装着したスペーサ２の長孔２ｃにアンカーボルト５が通ることとなる（図４（Ｅ）参照）。
【００２８】
最後に、スペーサ２の長孔２ｃを通ったアンカーボルト５に座金１２とナット１１を装着し（図４（Ｆ）参照）、ナット１１を締めてスペーサ２に対する加圧を徐々に強めつつ、ブラケット本体１の正規の位置への仮止めを行う。位置が決まればナット１１の本締めを以って本発明による支柱保持ブラケットのコンクリート躯体３への締着を完了する（図１（Ａ）（Ｂ）参照）。
【００２９】
以上の如く、ナット１１の本締めに伴い、フランジ部２ｂは、ベース部１ａをコンクリート躯体３へ向けて加圧し、コンクリート躯体３から支柱保持用ブラケットが浮き上がらないようにする。
同時に、アンカーボルト５を通した長孔２ｃの周縁は、長孔２ｃの向きに応じてアンカーボルト５の側面に接し、アンカーボルト５が長孔２ｃの向き以外の前後左右へ相対的にずれないように支柱保持用ブラケットの動きを規制する。
この様に上下前後左右に確実な締着を得るにも関らず、スペーサ２を回転させるという簡単な作業を以って、複数のアンカーボルト５の位置関係を長孔２ｃの位置関係を手早く合わせることができるので、極めて高い実用効果を奏する。
【００３０】
本実施の形態は、コンクリート躯体（パラペット）３の傾斜に鑑み、ブラケット本体１の取付角度を調整できる構造とすることも出来る。
この例は、断面略Ｕ字状のアルミ押出形材からなるブラケット本体１と、ブラケット本体１を載置するベースプレート１４と、先の例と同様のスペーサ２を備えた構造を採る。
【００３１】
この例のブラケット本体１は、先の例と同様に、支柱取付部１ｂとベース部１ａを有する。
この例は、支柱取付部１ｂにあっては先の例と同様であるが、ベース部１ａは、長手方向の複数箇所に表裏に貫通する円形の貫通孔１ｃを有する他、ベースプレート１４の上で摺動する際にベースプレート１４と密接する摺動面１ｅを有する。
摺動面１ｅは、円柱の側面の様に全長にわたり一様な曲率で湾曲する曲面である。
【００３２】
ベースプレート１４は、耐食性の高いアルミ又はステンレス等を材料とし、下面をコンクリート躯体３に接する定着面とし、上面にブラケット本体１の摺動面１ｅと密接する相補的形状の摺動面１４ａを有する。
更に、ベースプレート１４は、長手方向の複数箇所に、表裏を貫通する下貫通孔１４ｂを有する。下貫通孔１４ｂは、ブラケット本体１とベースプレート１４との間の摺動の際に、ブラケット本体１の貫通孔１ｃと略重なる領域の略全域にわたる広さを有する（図４（Ｄ）参照）。
【００３３】
ブラケット本体１及びベースプレート１４は、摺動面１ｅ，１４ａの曲がりに倣って摺動し、ベースプレート１４に対するブラケット本体１の取付角度が変化する結果、ブラケット本体１の支柱取付部１ｂについて、コンクリート躯体３の傾斜に対応した起立角度を得ることができる。
【００３４】
本実施の形態では、支柱４は、支柱取付部１ｂを構成する一対の起立片１ｂａ，１ｂｂで挟持し、室内側の起立片１ｂａに設けた支持孔８にボルト７を挿通し支柱４を締着する。更に、コンクリート躯体３から室外側に向けて突出する横アンカーボルト１３に控え柱９の下部を締着し、控え柱９の上部と支柱４とを連結材１０を介して締結することを以って支柱保持強度の補強を図っている（図３及び図５参照）。
【符号の説明】
【００３５】
１  ブラケット本体，
１ａ  ベース部，
１ｂ  支柱取付部，１ｂａ  起立片（屋内側），１ｂｂ  起立片（屋外側），
１ｃ  貫通孔，１ｄ  切欠部，１ｅ  摺動面（ブラケット本体），
２  スペーサ，
２ａ  軸部，２ｂ  フランジ部，２ｃ  長孔，２ｄ  周壁，２ｅ  天板，
３  コンクリート躯体，３ａ  穴，
４  支柱，５  アンカーボルト，６  鉄筋，
７  ボルト，８  支持孔，９  控え柱，  １０  連結材，
１１  ナット，１２  座金，
１３  横アンカーボルト，
１４  ベースプレート，１４ａ  摺動面（ベースプレート），１４ｂ  下貫通孔，
１５  裏板，
【図１（Ａ）（Ｂ）（Ｃ）（Ｄ）】
0005489893.tif 000002
【図２（Ａ）（Ｂ）（Ｃ）（Ｄ）（Ｅ）】
0005489893.tif 000003
【図３】
0005489893.tif 000004
【図４】
0005489893.tif 000005
【図５】
0005489893.tif 000006
【図６】
0005489893.tif 000007
【図７】
0005489893.tif 000008